(57)【要約】【課題】  良好に冷房及び暖房を行えるトイレ冷暖房装置を提供する。【解決手段】  冷暖房ユニット１１が内装されたキャビネット３には、第１吹出口７と第２吹出口８が設けられ、冷暖房ユニット１１と第１吹出口７を接続する通路Ｒの途中には、第２吹出口８側へ通路を切替可能な切替可動部９が設けられ、この切替可動部９を上方へ開けることで第２吹出口８から冷風を吹き出させることができ、また切替可動部９を下方へ閉じることで、第１吹出口７から温風を吹き出させることができるように構成されている。【選択図】  図２
2005249311.tif 000002
【特許請求の範囲】
【請求項１】
冷暖房ユニットが内装されたキャビネットには、第１吹出口と第２吹出口が設けられ、前記冷暖房ユニットと前記第１吹出口を接続する通路の途中が、前記第２吹出口側の通路に切替接続可能に構成されていることを特徴とするトイレ冷暖房装置。
【請求項２】
前記冷暖房ユニットと前記第１吹出口を接続する通路の途中に、前記第２吹出口側へ通路を切替可能な切替可動部が設けられていることを特徴とする請求項１に記載のトイレ冷暖房装置。
【請求項３】
前記第１吹出口は、キャビネットの下部部位に設けられた暖房用の温風吹出口であり、前記第２吹出口は、キャビネットの上面に設けられた冷房用の冷風吹出口であることを特徴とする請求項１または請求項２に記載のトイレ冷暖房装置。
【請求項４】
前記切替可動部が、キャビネットの上面に設けられた上下に開閉可能な前記第２吹出口であり、上方へ開けることにより、前記第２吹出口と前記冷暖房ユニットが連通し、下方へ閉じることにより、前記第１吹出口と前記冷暖房ユニットが、前記第２吹出口を経由して連通されるように構成したことを特徴とする請求項２に記載のトイレ冷暖房装置。
【請求項５】
前記第２吹出口の上下開閉位置を検知し得る検知手段を設け、該検知手段が第２吹出口の上方への開状態を検知した場合は、前記冷暖房ユニットを冷房運転させ、第２吹出口の下方への閉状態を検知した場合は、前記冷暖房ユニットを暖房運転させるように構成したことを特徴とする請求項４に記載のトイレ冷暖房装置。
【請求項６】
前記冷暖房ユニットがペルチェ素子を用いたものであることを特徴とする請求項１に記載のトイレ冷暖房装置。
【発明の詳細な説明】
【技術分野】
【０００１】
本発明は、トイレ内を冷暖房し得るトイレ冷暖房装置に関するものである。
【背景技術】
【０００２】
従来、トイレ冷暖房装置として、例えば特許文献１に開示されているようなものがあり、首元に吹出口から冷風を吹き出させることができ、また、足元に温風を吹き出すことができるように構成されている。
【特許文献１】特開２００２−１４３０４０号公報
【発明の開示】
【発明が解決しようとする課題】
【０００３】
従来の構造では、冷風は首筋や頭等に当てたいが、暖房時は足元から暖めたいために、別々の箇所に冷房用および暖房用のユニットを設ける必要があり、コスト高となってしまうという問題点があった。
【課題を解決するための手段】
【０００４】
本発明は上記従来の問題点に鑑み案出したものであって、コンパクトな構成で冷房と暖房を行うことのできるトイレ冷暖房装置を提供せんとするものであり、その請求項１は、冷暖房ユニットが内装されたキャビネットには、第１吹出口と第２吹出口が設けられ、前記冷暖房ユニットと前記第１吹出口を接続する通路の途中が、前記第２吹出口側の通路に切替接続可能に構成されていることである。
【０００５】
また請求項２は、前記冷暖房ユニットと前記第１吹出口を接続する通路の途中に、前記第２吹出口側へ通路を切替可能な切替可動部が設けられていることである。
【０００６】
また請求項３は、前記第１吹出口は、キャビネットの下部部位に設けられた暖房用の温風吹出口であり、前記第２吹出口は、キャビネットの上面に設けられた冷房用の冷風吹出口であることである。
【０００７】
また請求項４は、前記切替可動部が、キャビネットの上面に設けられた上下に開閉可能な前記第２吹出口であり、上方へ開けることにより、前記第２吹出口と前記冷暖房ユニットが連通し、下方へ閉じることにより、前記第１吹出口と前記冷暖房ユニットが、前記第２吹出口を経由して連通されるように構成したことである。
【０００８】
また請求項５は、前記第２吹出口の上下開閉位置を検知し得る検知手段を設け、該検知手段が第２吹出口の上方への開状態を検知した場合は、前記冷暖房ユニットを冷房運転させ、第２吹出口の下方への閉状態を検知した場合は、前記冷暖房ユニットを暖房運転させるように構成したことである。
【０００９】
また請求項６は、前記冷暖房ユニットがペルチェ素子を用いたものであることである。
【発明の効果】
【００１０】
本発明のトイレ冷暖房装置は、冷暖房ユニットが内装されたキャビネットには、第１吹出口と第２吹出口が設けられ、冷暖房ユニットと第１吹出口を接続する通路の途中が、第２吹出口側の通路に切替接続可能に構成されていることにより、通路を切り替えて、第１吹出口または第２吹出口の何れかを選択でき、良好に冷房と暖房を行うことができるものとなる。
【００１１】
また、冷暖房ユニットと第１吹出口を接続する通路の途中に、第２吹出口側へ通路を切替可能な切替可動部が設けられていることにより、切替可動部を切り替えて、第１吹出口または第２吹出口の何れかを選択でき、良好に冷房と暖房を行うことができるものとなる。
【００１２】
また、第１吹出口は、キャビネットの下部部位に設けられた暖房用の温風吹出口であり、第２吹出口は、キャビネットの上面に設けられた冷房用の冷風吹出口であることにより、冷風はキャビネットの上面から首筋や頭等に直接吹き付けることができ、また、温風はキャビネットの下部部位から吹き出させて、良好に足元を暖めることができるものとなる。
【００１３】
また、切替可動部が、キャビネットの上面に設けられた上下に開閉可能な第２吹出口であり、上方へ開けることにより、第２吹出口と冷暖房ユニットが連通し、下方へ閉じることにより、第１吹出口と冷暖房ユニットが、第２吹出口を経由して連通されるように構成したことにより、第２吹出口を上方へ開けて、キャビネットの上面から冷風を吹き出させることができ、また第２吹出口を下方へ閉じることにより、キャビネットの下部から良好に温風を吹き出させることができるものとなる。なお、暖房時にはキャビネットの上面に設けられた冷風吹出口が閉まり、キャビネットもスッキリする。
【００１４】
また、第２吹出口の上下開閉位置を検知し得る検知手段を設け、検知手段が第２吹出口の上方への開状態を検知した場合は、冷暖房ユニットを冷房運転させ、第２吹出口の下方への閉状態を検知した場合は、冷暖房ユニットを暖房運転させるように構成したことにより、第２吹出口を上方へ開けた場合には、検知手段でこれを検知して冷房運転とし、キャビネットの上面から冷風を吹き出させることができ、また第２吹出口を下方へ閉じた時には、これを検知して暖房運転させてキャビネットの下部部位から温風を吹き出させることができるものとなる。これによって、第２吹出口の上下開閉位置を変えるだけで冷暖房の設定ができるため、冷暖房装置の使用時の操作を簡単にすることができる。
【００１５】
また、冷暖房ユニットがペルチェ素子を用いたものであることにより、冷房と暖房を１つの冷暖房ユニットで行うこともでき、コンパクトにキャビネット内に内装させておくことができるものとなる。
【実施例】
【００１６】
以下、本発明の実施例を図面に基づいて説明する。
図１は、トイレ室の斜視構成図であり、トイレ室１内に設置された便器２の後方には、キャビネット３が設けられ、このキャビネット３から壁面に沿ってカウンター４が横設されており、カウンター４には手洗器５とペーパーホルダー６が設けられている。
【００１７】
また、キャビネット３の下部部位の便器２の側方には、温風を吹き出す第１吹出口７が設けられており、またキャビネット３の上面には、冷風を吹き出す第２吹出口８が設けられている。
この第２吹出口８は、上下方向へ開閉できる切替可動部９で構成されており、この切替可動部９は、図２の概略配置構成図で示すように、冷暖房ユニット１１と第１吹出口７を接続する通路Ｒを形成するダクト１０の途中に設けられたものである。
【００１８】
図２において、切替可動部９の上流側に配置された冷暖房ユニット１１は、ペルチェ素子１１ａで構成され、このペルチェ素子１１ａの上面側には、冷却フィン１１ｂが設けられ、ペルチェ素子１１ａの下面側の放熱部は、水冷ジャケット１１ｃで冷やすことができるように、水冷ジャケット１１ｃには給水管１２を通し、水が循環されるように構成されている。
【００１９】
冷暖房ユニット１１の上流側には、送風ファン１３（シロッコファン）が設けられており、この送風ファン１３でキャビネット３内の空気をダクト１０側へ送り出すように構成されている。
なお、冷却フィン１１ｂ側と切替可動部９間は、例えば蛇腹管で構成された蛇腹部１４となっている。
【００２０】
また、図３に示すように、切替可動部９を下方へ閉じた状態では、第２吹出口８が閉じられて、冷暖房ユニット１１と第１吹出口７がダクト１０を介して連通状態となるように構成され、切替可動部９に設けた開閉検知手段（リミットセンサー）１５で、切替可動部９の閉状態を検知できるように構成されている。
【００２１】
また、切替可動部９を上方へ開けた時には、開状態を開閉検知手段１５で検知できるように構成されており、この状態では、切替可動部９の第２吹出口８がキャビネット３の上面に開口状態となって、冷暖房ユニット１１からの冷風が第２吹出口８から吹き出され、便器２に着座している使用者の首筋や頭等に冷風が吹き付けられるように構成されている。
【００２２】
なお、冷暖房ユニット１１を運転制御する図示しない制御装置に、前述した開閉検知手段１５からの検知信号が出力され、切替可動部９が上方へ開かれて、第２吹出口８が開かれた状態では、制御装置を介し冷暖房ユニット１１が冷房運転を行うように制御され、冷却フィン１１ｂが冷やされて、送風ファン１３から送り出された空気は冷却フィン１１ｂで冷やされて、冷風となってキャビネット３の上面の第２吹出口８から吹き出されるものである。それにより、使用者の首筋や頭等にスポット的に吹き付けて良好な冷風感が得られる。
【００２３】
また、切替可動部９が閉じられた状態では、開閉検知手段１５から閉信号が制御装置に伝えられて、制御装置を介し冷暖房ユニット１１が暖房運転を行うように制御される。
即ち、ペルチェ素子１１ａに通電するプラスとマイナスを切り替えて運転され、この暖房運転時には、冷却フィン１１ｂ側が放熱フィンとして作用し、送風ファン１３から送られた空気は暖められて温風となり、蛇腹部１４及び切替可動部９を通りダクト１０から第１吹出口７に導かれて、第１吹出口７から便器２使用者の足元に吹き出され、それにより、足元を良好に暖めることができるものとなる。
【００２４】
このように、本例では冷暖房ユニット１１はペルチェ素子１１ａを利用したものであり、冷房と暖房を１つの冷暖房ユニット１１で行うことができるが、冷房ユニットと暖房ユニットを組み合わせたもので構成しても良い。
なお、本例のようにペルチェ素子１１ａを利用した１つの冷暖房ユニット１１で構成すると、コストを低減でき、コンパクト化も図れるものとなる。
【００２５】
なお、冷暖房ユニット１１は暖房ユニットだけとし、送風と暖房だけとしても良く、キャビネット３の上面の第２吹出口８から使用者の首筋や頭等に送風し、キャビネット３の下部部位の第１吹出口７から足元へ温風を吹き出させるように構成しても良い。          また、本例では、第２吹出口８自体を切替可動部９としているが、通路の切替部は別途設けて、第２吹出口の上下開閉に合わせて通路を切り替えるように構成しても良い。
【図面の簡単な説明】
【００２６】
【図１】トイレ室の斜視構成図である。
【図２】キャビネット内に内装された冷暖房装置の概略配置構成図である。
【図３】図２における切替可動部が閉じた状態の冷暖房装置の概略配置構成図である。
【符号の説明】
【００２７】
１  トイレ室
２  便器
３  キャビネット
４  カウンター
７  第１吹出口（温風吹出口）
８  第２吹出口（冷風吹出口）
９  切替可動部
１０  ダクト
１１  冷暖房ユニット
１１ａ  ペルチェ素子
１１ｂ  冷却フィン
１１ｃ  水冷ジャケット
１３  送風ファン
１４  蛇腹部
１５  開閉検知手段（リミットセンサー）
Ｒ  通路
【図１】
2005249311.tif 000003
【図２】
2005249311.tif 000004
【図３】
2005249311.tif 000005